(57)【要約】      （修正有）【課題】輸送費を削減し、簡単に、安全に組み立てることができ、落下防止機能を有する１１０Ｗ級連結式長尺直管型蛍光管形ＬＥＤ照明装置を提供する。【解決手段】１１０Ｗ級連結式長尺直管型蛍光管形ＬＥＤ装置の長さが規格の２，３６７ｍｍに成るように、２本の４０Ｗ級直管型蛍光管形ＬＥＤ照明装置の放熱筒の長さを定めて、放熱筒の内部に角型連結金物３又はコ型連結金物を挿入し、更に連結補強板４でネジ止めする。【選択図】図１
0003173660.tif 000002
【実用新案登録請求の範囲】
【請求項１】
２本の４０Ｗ級直管型蛍光管形ＬＥＤ装置を連結したことを特徴とする１１０Ｗ級連結式長尺直管型蛍光管形ＬＥＤ照明装置。
【請求項２】
２本の４０Ｗ級直管型蛍光管形ＬＥＤ装置の放熱筒の内部に角型連結金具３を挿入させ連結したことを特徴とする請求項１に記載の１１０Ｗ級連結式長尺直管型蛍光管形ＬＥＤ照明装置。
【請求項３】
２本の４０Ｗ級直管型蛍光管形ＬＥＤ装置の放熱筒の内部にコ型連結金具３０を挿入させ連結したことを特徴とする請求項１に記載の１１０Ｗ級連結式長尺直管型蛍光管形ＬＥＤ照明装置。
【請求項４】
２本の４０Ｗ級直管型蛍光管形ＬＥＤ装置の放熱筒の内部に挿入させた角型連結金具３又はコ型連結金具３０を締め付ける連結補強板４を備えたことを特徴とする請求項１に記載の１１０Ｗ級連結式長尺直管型蛍光管形ＬＥＤ照明装置。
【請求項５】
１１０Ｗ級連結式長尺直管型蛍光管形ＬＥＤ照明装置の点灯回路を構成させるコネクター郡３ｄｆ、３ｄｃ、３ｄｇ、３ｄｈ、３ｄｅ、３ｄｉを角型連結金物３又はコ型連結金具３０に持つことを特徴とする請求項１に記載の１１０Ｗ級連結式長尺直管型蛍光管形ＬＥＤ照明装置。
【請求項６】
１１０Ｗ級連結式直管型蛍光管形ＬＥＤ照明装置の両端から電源供給する場合、コネクター郡３ｄｆ、３ｄｇ、３ｄｈ、３ｄｉを角型連結金物３又はコ型連結金具３０に持つことを特徴とする請求項１に記載の１１０Ｗ級連結式長尺直管型蛍光管形ＬＥＤ照明装置。
【請求項７】
１１０Ｗ級直管型蛍光管形ＬＥＤ照明装置の中央部に接地端子３ｄｔを有することを特徴とする請求項１に記載の１１０Ｗ級連結式長尺直管型蛍光管形ＬＥＤ照明装置。
【考案の詳細な説明】
【技術分野】
【０００１】  本考案の内容は、連結式長尺直管型蛍光管形ＬＥＤ照明装置の構造に関するものである。
【背景技術】
【０００２】  近年、電力不足や地球温暖化防止の為、省エネや節電に有効な電気製品が強く求められる時代になってきた。照明器具においては、白熱電球がＬＥＤ電球に取って代わり、直管型蛍光灯もＬＥＤ照明装置に移りつつある。【０００３】  現在すでに使用されている１１０Ｗ級長尺直管型蛍光管も１１０Ｗ級長尺直管型蛍光管形ＬＥＤ照明装置に置換されつつある。【０００４】  １１０Ｗ級の長尺直管型蛍光管形ＬＥＤ照明装置の長さは、１１０Ｗ級の長尺直管型蛍光管とともに約２．４ｍともなり、国内輸送費は長尺物品割り増し料金となり、コスト面でＬＥＤ照明装置の普及を遅らせることと成っていた。
【特許文献１】
【考案の開示】
【考案が解決しようとする課題】
【０００５】  従来の４０Ｗ級直管型蛍光管形ＬＥＤ照明装置を２本連結して、１１０Ｗ級の長尺直管型蛍光管形ＬＥＤ照明装置として使用出来るものにすること。【０００６】  電源供給方法をコネクター方式として、４０Ｗ級の直管型蛍光管形ＬＥＤ照明装置２本を連結して簡単に、且つ安全に、１１０Ｗ級の直管型蛍光管形ＬＥＤ照明装置に変更出来る構造とすること。【０００７】  ２本のＬＥＤ照明装置で連結された１１０Ｗ級連結式長尺直管型蛍光管形ＬＥＤ照明装置に落下防止機能を持たせること。【０００８】  ２本のＬＥＤ照明装置で連結された１１０Ｗ級連結式長尺直管型蛍光管形ＬＥＤ照明装置を照明器具本体から容易に取付・取外しを行えるものとすること。【０００９】  ２本のＬＥＤ照明装置で連結された１１０Ｗ級連結式長尺直管型蛍光管形ＬＥＤ照明装置の両端又は中央の２カ所から電源供給を容易に行えるものとすること。
【課題を解決するための手段】  以下図面により説明する。【００１０】  図１に示す如く、従来の４０Ｗ級直管型蛍光管形ＬＥＤ照明装置１、及び４０Ｗ級直管型蛍光管形ＬＥＤ照明装置２の放熱筒１４ａ及び２４ａの内部に、角型連結金具３叉はコ型連結金具３０をに挿入することで、１と２を確りと繋ぎ合せることが出来る構造とした。【００１１】  図１に示す如く、１と２の連結を更に確実なものとする為、角型連結金具３にタップ穴３ａを設け、外部から連結補強板４の穴４ａを利用して、ビス３１で締め付けられる構造とした。【００１２】  図２に示す如く、従来の４０Ｗ級直管型蛍光管形ＬＥＤ装置１のアルミニウム放熱筒１４ａに、連結用穴１１ａ，１２ａを設けた。【００１３】  図３に示す如く、従来の４０Ｗ級直管型蛍光管形ＬＥＤ装置２のアルミニウム放熱筒２４ａに、連結用穴２１ａ，２２ａを設けた。【００１４】  図４の断面図と図５の上部平面図に示す如く、従来の４０Ｗ級直管型蛍光管形ＬＥＤ装置１のアルミニウム放熱筒１４ａ及び４０Ｗ級長尺蛍光管形ＬＥＤ照明装置２のアルミニウム放熱筒２４ａの双方の内部に連結金具３を確りと挿入させて、上部から連結補強板４を当てて、４個のビス３１で確りと締め付ければ、１１０Ｗ級連結式長尺直管型蛍光管形ＬＥＤ照明装置１２となる。【００１５】  図６の断面図に示す如く、角型連結金物３には１１０Ｗ級連結式長尺直管型蛍光管形ＬＥＤ照明装置１２の内部にきっちりと嵌るサイズの角型パイプを使用し、連結補強板４を４本のビス３１でタップ穴３ａに確りと締め付けられるものとした。【００１６】  図７に角型連結金具３の上部詳細図、横断面図、縦断面図と底部詳細図を示した。タップ穴３ａはビス３１を締め込むサイズのタップ穴とした。３ｂは電源線挿入口、３ｃは放熱開口とした。【００１７】  図８に断面図に示す如く、コ型連結金具３０には連結式長尺直管型蛍光管形ＬＥＤ照明装置１２の内部にきっちりと嵌るサイズのコ型連結金具３０を使用とし、連結補強板４を４本のビス３１でタップ穴３０ａに確りと締め付けられるものとした。【００１８】  図９にコ型連結金具３０の上部詳細図、横断面図、縦断面図と底部詳細図を示した。穴３０ａはビス３１を締め込むサイズのタップ穴とした。３０ｂは電源線挿入口とした。【００１９】  図１０に連結補強板４の平面図、側面図、断面図を示した。連結補強板４の中央に落下防止に役立つ凸形曲げ４ｃと穴４ｂを設けたものとした。【００２０】  図１０に示す如く、連結補強板４の４ｃの高さを適切なものとし図１１の断面図に示す如く、長尺直管型蛍光管形ＬＥＤ照明器具本体下部カバー０１３の穴０１３ａにビス４１で締め付ければ、落下防止機能を持たせることができる。【００２１】  図１２の断面図に示す如く、連結補強板４の部分４ｃの穴４ｂに三段式プッシュロック４２を長尺直管型蛍光管形ＬＥＤ照明器具本体下部カバー０１３の穴０１３ａに差し込んで、落下防止機能を持たせることができる。【００２２】  図１３に、２本の４０Ｗ級直管型蛍光管形ＬＥＤ装置１、及び４０Ｗ級直管型蛍光管形ＬＥＤ装置２の内部に挿入されたＬＥＤ点灯回路１０、及び２０への電源供給配線図を示した。【００２３】  図１３に示す２本の４０ｗ級直管型蛍光管形ＬＥＤ装置１及び２からキャップ１５ａと２５ａ取り去り、コネクッター１０ｄｉから１５ａｃを切り離し、コネクッター２０ｄｆから２５ａｃを切り離し、図１５の角型連結金具３に装着した配線のコネクッター３ｄｈに図１４の１０ｄｈを、３ｄｅに図１４の１０ｄｅを、３ｄｉに図１４の１０ｄｉをそれぞれ接続し、さらにコネクター３ｄｆに図１４の２０ｄｆを、３ｄｇに図１４の２０ｄｇを、３ｄｃに図１４の２０ｄｃをそれぞれ接続すると、図１４に示す如く、１１０Ｗ級連結式長尺直管型蛍光管形ＬＥＤ照明装置１２の両端の１５ｂｐ、２５ｂｐから電源を供給出来るものとなり、同時に中央電源供給コネクター３ｄからも電源を供給出来るものとなる。３ｄｔは２００ｖ級電圧で使用する場合に必要な接地端子である。【００２４】  図１６に示すコネクターを持つ角型連結金具３を使用して、コネクター３ｄｈを図１４の１０ｄｈに、３ｄｉを図１４の１０ｄｉに接続し、コネクター３ｄｆを図１４の２０ｄｆに、３ｄｇを図１４の２０ｄｇに接続すると、１１０Ｗ連結式長尺直管型蛍光管形ＬＥＤ照明装置１２の両端からのみ、電源を供給できるものとなる。
【考案の効果】
【００２５】  本考案により、長さが２．４ｍにも及ぶ１１０Ｗ級長尺直管型蛍光管形ＬＥＤ照明装置１２を１．２ｍの４０Ｗ級直管型蛍光管形ＬＥＤ照明装置２本として輸送出来るので、輸送費の大幅な削減となる。【００２６】  内部配線はコネクター式としたので、２本の４０Ｗ級直管型蛍光管形ＬＥＤ照明装置１、２を現場で１１０Ｗ級長尺直管型蛍光管形ＬＥＤ照明装置１２として簡単に、安全に組み立てることが出来る。【００２７】  １１０Ｗ級長尺直管型蛍光管形ＬＥＤ照明装置１２を上部から締め付けている連結補強板４を利用して、たわみ防止や落下防止機能を持たせることができる。【００２８】  寿命や破損による修理の場合、１１０Ｗ級長尺直管型蛍光管形ＬＥＤ照明装置１２を半分ユニット毎に交換出来るので、省資源にも大いに役立つものとなる。
【考案を実施するための最良の形態】
【００２９】  図１に示す方法で取り付ければ良い。図１１で示すビス４１、、図１２で示す三段式プッシュロック４２で、１２の中央部で０１３の０１３ａの穴に取り付けて落下防止機能を持たせることができる。【００３０】  図２、図３に示す４０Ｗ級直管型蛍光管形ＬＥＤ照明装置１、及び２のキャップ１５ａ、及びキャップ２５ａを１５ａｎ、１５ｂｎ、２５ａｎ、２５ｂｎよるネジ留め式とすると、簡単に１１０ｗ級連結式長尺直管型蛍光管形ＬＥＤ照明装置１２を組み立てることが出来る。【００３１】  図２及び図３の４０Ｗ級直管型蛍光管形ＬＥＤ照明装置１、２の長さは１，１９８ｍｍ（両端のピン１５ｂｐ、２５ｂｐを除く）で、キャップ１５ａ及びキャップ２５ａを取り外し、角型連結金具３又はコ型連結金具３０を差し込んで連結すると、１１０ｗ級長尺直管型蛍光管形ＬＥＤ照明装置１２の長さ（両端のピン１５ｂｐ、２５ｂｐを除く）は２，３６７ｍｍのとなり、ＪＩＳ又は国際規準による標準長さとなる。【００３２】  角型連結金具３又はコ型連結金具３０及び連結補強板４の長さは１０ｃｍ〜２０ｃｍとすればよい。
【実施例】
【００３３】  図１の図面とこれまで述べてきた方法に従い実施すればよい。
【産業上の利用可能性】
【００３４】    本考案の連結構造で、更に４０Ｗ級直管型蛍光管形ＬＥＤ照明装置を連結し、１１０Ｗ級以上の長尺型とすることができるので、連続構造のライン照明として採用できる。
【図面の簡単な説明】
【００３５】
【図１】連結式長尺直管型蛍光管形ＬＥＤ照明装置の構造図面
【図２】４０ｗ級直管型蛍光管形ＬＥＤ照明装置１の外観図
【図３】４０ｗ級直管型蛍光管形ＬＥＤ照明装置２の外観図
【図４】１１０ｗ級連結式長尺直管型蛍光管形ＬＥＤ照明装置の構造断面図
【図５】１１０ｗ級連結式長尺直管型蛍光管形ＬＥＤ照明装置の上部平面図
【図６】角型連結金具３を使用してのＬＥＤ照明装置の連結部断面図
【図７】角型連結金具３の上部平面図、横断面図、縦断面図、底部平面図
【図８】１コ型連結金具３０を使用してのＬＥＤ照明装置の連結部断面図
【図９】コ型連結金具３０の上部平面図、横断面図、縦断面図、底部平面図
【図１０】連結補強板４の平面図、側面図、縦断面図
【図１１】落下防止ビス４１を使用して、長尺直管型蛍光管形ＬＥＤ照明装置本体下部カバーに連結補強板を取り付けた部分の断面図面
【図１２】三段式プッシュロック４２を使用して、長尺直管型蛍光管形ＬＥＤ照明装置本体下部カバーにロックさせた部分の断面図
【図１３】２本の４０ｗ級直管型蛍光管形ＬＥＤ装置の内部結線図面
【図１４】連結式長尺直管型蛍光管形ＬＥＤ照明装置の内部結線図面
【図１５】１１０ｗ級連結式長尺直管型蛍光管形ＬＥＤ照明装置に中央から電源供給する場合の連結金具の内部結線図面
【図１６】１１０ｗ級連結式長尺直管型蛍光管形ＬＥＤ照明装置の両端から電源を供給する場合の連結金具の内部結線図面
【符号の説明】
【００３６】０１．長尺直管型蛍光管形照明器具本体
０１２．同上０１の蛍光管受口ソケット
０１３．長尺直管型蛍光管形ＬＥＤ照明器具本体下部カバー
０１４．通常の電源供給電線
０１５．１１０ｗ級連結式長尺直管型蛍光管形ＬＥＤ照明装置の中央から電源を供給する場合の電源ケーブル
０１５ｄ．同上装置の中央から電源を供給する場合の電源プラグ
１．４０ｗ級直管型蛍光管形ＬＥＤ照明装置
１０．４０ｗ級直管型蛍光管形ＬＥＤ照明装置のＬＥＤ点灯回路
１０ｂｃ．コネクター、１０ｄｅ．コネクター、１０ｄｈ．コネクター、１０ｄｉ．コネクター
１１ａ．連結用穴  １２ａ．連結用穴  １３ａ．電源線挿入用切り込み
１２．１１０ｗ級連結式長尺直管型蛍光管形ＬＥＤ照明装置
１４ａ．直管型蛍光管形ＬＥＤ照明装置のアルミ放熱筒
１４ｃ．直管型蛍光管形ＬＥＤ照明装置の光放射面プラスチックカバー
１５ａ．直管型蛍光管形ＬＥＤ照明装置の右キャップ
１５ｂ．直管型蛍光管形ＬＥＤ照明装置の左キャップ
１５ａｐ．直管型蛍光管形ＬＥＤ照明装置の右キャップ上ピン
１５ｂｐ．直管型蛍光管形ＬＥＤ照明装置の左キャップ上ピン
１５ａｃ．コネクター  １５ｂｃ．コネクター
２．４０ｗ級直管型蛍光管形ＬＥＤ照明装置
２０．４０ｗ級直管型蛍光管形ＬＥＤ照明装置のＬＥＤ点灯回路
２０ｂｃ．コネクター、２０ｄｃ．コネクター、２０ｄｇ．コネクター、１０ｄｆ．コネクター
２１ａ．連結用穴、２２ａ．連結用穴、２３ａ．電源線挿入用切り込み
２４ａ．直管型蛍光管形ＬＥＤ照明装置のアルミ放熱筒
２４ｃ．直管型蛍光管形ＬＥＤ照明装置の光放射面プラスチックカバー
２５ａ．直管型蛍光管形ＬＥＤ照明装置の左キャップ
２５ｂ．直管型蛍光管形ＬＥＤ照明装置の右キャップ
２５ａｐ．直管型蛍光管形ＬＥＤ照明装置の左キャップ上ピン
２５ｄｐ．直管型蛍光管形ＬＥＤ照明装置の右キャップ上ピン
３．角型連結金具
３ａ．角型連結金具のタップ穴
３ｂ．電源線挿入用穴  ３ｃ．連結金具下部放熱開口  ３ｄ．中央電源供給ソケット
３ｄｈ．コネクター、３ｄｅ．コネクター、３ｄｉ．コネクター
３ｄｆ．コネクター、３ｄｃ．コネクター、３ｄｇ．コネクター
３０．コ型連結金具  ３０ａ．コ型連結金具のタップ穴  ３０ｂ．電源線挿入用穴
３１．連結金具締め付けビス
４．連結補強板
４ａ．ビス穴  ４ｂ．吊り下げ用開口
４１．落下防止用留めビス  ４２．三段式プッシュロック
１０１．ＬＥＤ基盤、２０１．ＬＥＤ基盤
【図１】
0003173660.tif 000003
【図２】
0003173660.tif 000004
【図３】
0003173660.tif 000005
【図４】
0003173660.tif 000006
【図５】
0003173660.tif 000007
【図６】
0003173660.tif 000008
【図７】
0003173660.tif 000009
【図８】
0003173660.tif 000010
【図９】
0003173660.tif 000011
【図１０】
0003173660.tif 000012
【図１１】
0003173660.tif 000013
【図１２】
0003173660.tif 000014
【図１３】
0003173660.tif 000015
【図１４】
0003173660.tif 000016
【図１５】
0003173660.tif 000017
【図１６】
0003173660.tif 000018